(57)【特許請求の範囲】
【請求項１】
炭素含有率が９０％以上、ＥＳＣＡ法により測定されるピーク比Ｏ1S／Ｃ1Sが０．２５〜０．４、繊維表面のカルボキシル基及び水酸基が０．５μｅｑ／ｇ以上、且つカルボキシル基／水酸基が１以上である金属酸化物コーティング用炭素繊維。
【請求項２】
フィラメント状に形成してなる請求項１記載の金属酸化物コーティング用炭素繊維。
【請求項３】
長さ１〜１００ｍｍのファイバー状に形成してなる請求項１に記載の金属酸化物コーティング用炭素繊維。
【請求項４】
直径が３〜１０μｍ、引っ張り荷重が１．５ｇ以上、引っ張り伸度が０．５％以上、体積抵抗率が０．１Ω・ｃｍ以下である請求項１に記載の金属酸化物コーティング用炭素繊維。
【請求項５】
ポリアクリロニトリル繊維の炭素化処理によって製造してなる請求項１に記載の金属酸化物コーティング用炭素繊維。
【請求項６】
水を含む粘性物資によりサイズ処理してなる請求項１記載の金属酸化物コーティング用炭素繊維。
【請求項７】
請求項２記載のフィラメントを１００〜１００，０００本集束してなるストランドであって、前記ストランドの引っ張り強度が２００ｋｇｆ／ｍｍ2以上、引っ張り弾性率が２０ｔｏｎｆ／ｍｍ2以上である金属酸化物コーティング用炭素繊維ストラン
ド。
【請求項８】
請求項３に記載のファイバー状金属酸化物コーティング用炭素繊維又は請求項７に記載の金属酸化物コーティング用炭素繊維ストランドを用いて構成してなることを特徴とする金属酸化物コーティング用炭素繊維組織構造体。
【請求項９】
金属酸化物コーティング用炭素繊維構造体が、織物、不織布、合成紙、又はフェルトである請求項８に記載の金属酸化物コーティング用炭素繊維組織構造体。
【請求項１０】
炭素繊維を酸化処理する金属酸化物コーティング用炭素繊維の製造方法において、酸化処理が炭素繊維に５〜１００ｃ／ｇの電流を流しながら、濃度１〜１５質量％の硫酸又は硫酸塩の水溶液中を通過させた後、イオン交換水で洗浄するものであることを特徴とする炭素含有率が９０％以上、ＥＳＣＡ法により測定されるピーク比Ｏ1S／Ｃ1Sが０．２５〜０．４、繊維表面のカルボキシル基及び水酸基が０．５μｅｑ／ｇ以上、且つカルボキシル基／水酸基が１以上である金属酸化物コーティング用炭素繊維の製造方法。
【請求項１１】
請求項７に記載のストランドを長さ１〜１００ｍｍにカットする事を特徴とする金属酸化物コーティング用炭素繊維チョップドファイバーの製造方法。
【発明の詳細な説明】
【０００１】
【発明の属する技術分野】
本発明は、物理的あるいは化学的な反応により金属酸化物を炭素繊維表面にコーティングさせるのに適した炭素繊維、同ストランド、炭素繊維組織構造体、及びそれらの製造方法に関する。
【０００２】
【従来の技術】
炭素繊維にプラスチック、セラミックス、金属のような異種の素材を単にコーティングして複合材料を製造する技術は比較的基本的な技術であり、前記技術を用いてこれらをコーティングした炭素繊維も従来公知のものである。
【０００３】
近年、炭素繊維強化プラスチックのような複合材料の機能の進歩と共に、単に強度の改善を求めるに止まらず、繊維基材表面に別機能を有する材料をコーティングさせて、両者の特性を兼備した高機能又は多機能繊維を開発する試みがなされており、実際種々の複合炭素繊維が開発されている。
【０００４】
このような複合炭素繊維は、複合炭素繊維に用いられる炭素繊維自体の高い強度や弾性率を生かす用途を持つだけでなく、コーティングした異種の素材の持つ物理的性質や機能性を兼備するものである。
【０００５】
一方、金属酸化物は、磁性、透磁率性、超伝導性に優れ、更に触媒作用等も有するので、各種産業分野で広く利用されている。中でも、磁性酸化物は磁気テープなどの磁気記録媒体用として実用化されているだけでなく、導電性や表面吸着能、電磁波吸収能もあり、幅広い用途が期待されるものである。
【０００６】
特に、昨今の情報通信機器の高度な発達により、外界には多種多様の電磁波が飛び交っており、これに関連してコンピューターや制御装置を誤作動させる電磁波障害が大きな社会問題になっている。このような電磁波障害を防止するため、電磁波吸収体として磁性酸化物を複合させた各種複合材料の開発が進められている。
【０００７】
磁性酸化物は広い周波数領域で電磁波を吸収する機能を有するので、炭素繊維と組み合わせることで、機械的強度と電磁波吸収特性を兼備した成形体を実現できるのではないかと期待されている。
【０００８】
炭素材料に金属酸化物をコーティングする技術は、特開平１０ー２０８５４１号等で公知である。しかし、従来技術による場合は、炭素繊維表面に強固かつ均一に多量の金属酸化物をコーティングすることは難しく、繊維一本一本に均一且つ一定の付着量で金属酸化物をコーティングすることのできる、表面状態がコントロールされた炭素繊維も存在しない。
【０００９】
【発明が解決しようとする課題】
本発明者等は、金属酸化物を均一かつ多量にコーティングする事のできる炭素繊維を製造するために種々検討した結果、炭素含有率の高い炭素繊維において、ＥＳＣＡ法により測定されるＯ1S／Ｃ1Sのピーク比、炭素繊維表面に生成する官能基であるカルボキシル基又は水酸基の当量、カルボキシル基／水酸基の比が炭素繊維表面に対する金属酸化物のコーティング性に重要な影響を持つことを知見し、その結果本発明を完成するに至った。
【００１０】
従って、本発明の目的とするところは、炭素繊維の表面状態をコントロールすることにより、金属酸化物を炭素繊維表面に均一且つ任意の付着量で強固にコーティングできる金属酸化物コーティング用炭素繊維及びその製造方法を提供することにある。
【００１１】
【課題を解決するための手段】
上記目的を達成する本発明は、以下に記載するものである。
【００１２】
〔１〕  炭素含有率が９０％以上、ＥＳＣＡ法により測定されるピーク比Ｏ1S／Ｃ1Sが０．１〜０．５、繊維表面のカルボキシル基及び水酸基が０．５μｅｑ／ｇ以上、且つカルボキシル基／水酸基が１以上である金属酸化物コーティング用炭素繊維。
【００１３】
〔２〕  フィラメント状に形成してなる前記〔１〕記載の金属酸化物コーティング用炭素繊維。
【００１４】
〔３〕  長さ１〜１００ｍｍのファイバー状に形成してなる前記〔１〕に記載の金属酸化物コーティング用炭素繊維。
【００１５】
〔４〕  直径が３〜１０μｍ、引っ張り荷重が１．５ｇ以上、引っ張り伸度が０．５％以上、体積抵抗率が０．１Ω・ｃｍ以下である前記〔１〕に記載の金属酸化物コーティング用炭素繊維。
【００１６】
〔５〕  ポリアクリロニトリル繊維の炭素化処理によって製造してなる前記〔１〕に記載の金属酸化物コーティング用炭素繊維。
【００１７】
〔６〕  水を含む粘性物資によりサイズ処理してなる前記〔１〕記載の金属酸化物コーティング用炭素繊維。
【００１８】
〔７〕  前記〔２〕記載のフィラメントを１００〜１００，０００本集束してなるストランドであって、前記ストランドの引っ張り強度が２００ｋｇｆ／ｍｍ2以上、引っ張り弾性率が２０ｔｏｎｆ／ｍｍ2以上である金属酸化物コーティング用炭素繊維ストランド。
【００１９】
〔８〕  前記〔３〕に記載のファイバー状金属酸化物コーティング用炭素繊維又は前記〔７〕に記載の金属酸化物コーティング用炭素繊維ストランドを用いて構成してなることを特徴とする金属酸化物コーティング用炭素繊維組織構造体。
【００２０】
〔９〕  金属酸化物コーティング用炭素繊維構造体が、織物、不織布、合成紙、又はフェルトである前記〔８〕に記載の金属酸化物コーティング用炭素繊維組織構造体。
【００２１】
〔１０〕  炭素繊維を酸化処理する金属酸化物コーティング用炭素繊維の製造方法において、酸化処理が炭素繊維に電流を流しながら硫酸塩の水溶液中を通過させるものであることを特徴とする炭素含有率が９０％以上、ＥＳＣＡ法により測定されるピーク比Ｏ1S／Ｃ1Sが０．１〜０．５、繊維表面のカルボキシル基及び水酸基が０．５μｅｑ／ｇ以上、且つカルボキシル基／水酸基が１以上である金属酸化物コーティング用炭素繊維の製造方法。
【００２２】
〔１１〕  前記〔７〕に記載のストランドを長さ１〜１００ｍｍにカットする事を特徴とする金属酸化物コーティング用炭素繊維チョップドファイバーの製造方法。
【００２３】
以下、本発明を詳細に説明する。
【００２４】
【発明の実施の形態】
本発明の金属酸化物コーティング用炭素繊維は、炭素繊維の表面を酸化処理して製造するものである。本発明の金属酸化物コーティング用炭素繊維の製造原料となる炭素繊維としては、フェノール樹脂、レーヨン、ポリアクリロニトリル等の高分子繊維、石油系ピッチ、炭素系ピッチ、液晶系ピッチ等のピッチ系繊維等を原料とする炭素繊維の何れも使用でき、特に限定されるものではない。しかし、製造の容易さ及び得られる品質の安定性等の観点から、主としてポリアクリロニトリル繊維を不活性ガス雰囲気下、１０００〜３０００℃にて焼成して作られるアクリル系の炭素繊維が好ましい。
【００２５】
（プリカーサー）
アクリル系の炭素繊維の原料となるプリカーサーはポリアクリロニトリル系繊維（ポリアクリロニトリル、及び極性基を有する単量体を共重合させたポリアクリロニトリル）である。このプリカーサーは、ポリアクリロニトリルの濃厚溶液を用いて、通常の湿式、乾式、又は乾・湿式紡糸方法により、及び通常の紡糸条件により製造したものが使用できる。これらのポリアクリロニトリル系繊維自体は公知のものである。
【００２６】
紡糸の際に用いるポリアクリロニトリルの溶剤としては、ジメチルホルムアミド、ジメチルスルホキシド、ジメチルアセトアミド、エチレンカーボネート等の有機溶媒、また硝酸、ロダン塩、塩化亜鉛などの水溶液が主として用いられる。
【００２７】
特に、塩化亜鉛の水溶液を用いたポリマー溶液から紡糸したプリカーサーはポリマー分子の配向性が高く、品質が良好で伸度の高い炭素繊維が得られるので好ましいものである。この紡糸方法自体は公知のものである。
【００２８】
溶剤に塩化亜鉛水溶液を用いて紡糸したポリアクリロニトリル繊維を原料とするプリカーサー中には、亜鉛成分が１０〜１００ｐｐｍ残存することが金属分析等の手段により確認されている。プリカーサー中に１０〜１００ｐｐｍ残存する亜鉛成分は、プリカーサーの焼成により炭素繊維を製造する過程で生成する炭素繊維中の炭素網面の配向性を乱すことなく、且つ炭素網面の成長を促進させて、高性能の炭素繊維を生成させる。
【００２９】
焼成後に得られる炭素繊維中には、特定成分として亜鉛が約２０〜２００ｐｐｍ含まれている。この亜鉛成分は後述する炭素繊維の表面処理工程あるいは乾燥処理工程を経ても炭素繊維の性能を低下させることがなく、逆に本発明の目的製品である金属酸化物のコーティング用炭素繊維に好ましい性質を与える。
【００３０】
上記プリカーサーは、０．５〜３デニールで広角Ｘ線回折による配向度９０％以上のが好ましい。
【００３１】
プリカーサーに延伸性や集束性を付与し、作業性を向上させるため、プリカーサー表面に油剤を０．０１〜１％付着させることが好ましい。油剤としては、アミノシリコーン系、リン酸エステル系、ポリエチレングリコール変性シリコーン系、脂肪族エステル系、グリシジルエーテル系、芳香族エステル系、複合エステル系、フッ化リン酸エステル系等の単独あるいは二種類以上の混合物を用いることができる。
【００３２】
（耐炎繊維）
上記のようにして調製したプリカーサーであるアクリロニトリル繊維を、空気中２００〜３００℃において緊張下で熱処理することにより、比重１．３〜１．４の空気中で燃えない耐炎繊維を得る。
【００３３】
（原料炭素繊維）
その後、一定の張力下、不活性ガス雰囲気中で１，０００℃〜３，０００℃で耐炎繊維を加熱することにより炭素化させ、これにより原料炭素繊維を得る。
【００３４】
特に高強度の原料炭素繊維を得るためには、１，０００〜３，０００℃の炭素化過程において、炭素繊維ストランドのテンションバランスと炭素化炉通過中の昇温勾配に注意する必要がある。これらの条件は当業者に公知の事項である。黒鉛性の高い原料炭素繊維は金属酸化物コーティング用炭素繊維の原料として、性能及びコスト面で適さないため、炭素化温度としては１，０００〜２，０００℃が好ましい。
【００３５】
このようにして得られる原料炭素繊維は、単繊維直径が３〜１０μｍ、単繊維フィラメントの引っ張り荷重が１．５ｇ以上、引っ張り伸度が０．５％以上、体積抵抗率が０．１Ω・ｃｍ以下、繊維比重１．６〜２．０のものが好ましい。
【００３６】
また、上記原料炭素繊維（単繊維フィラメント）を１００〜１００，０００本集束させた炭素繊維ストランドは、引っ張り強度２００ｋｇｆ／ｍｍ2以上、引っ張り弾性率２０ｔｏｎｆ／ｍｍ2以上のものが好ましい。
【００３７】
（表面処理）
本発明においては、次いで上記原料炭素繊維に表面処理を施して炭素繊維の表面を酸化するものである。即ち、上述のようにプリカーサーを１０００〜３０００℃で焼成して不活性ガス雰囲気下で４００℃以下の温度まで冷却して得られる原料炭素繊維、又は予め製造して準備してあった原料炭素繊維を表面処理工程に送り、この工程で炭素繊維表面にカルボキシル基や水酸基等の官能基を酸化反応により生成させるものである。
【００３８】
表面処理方法としては、硫酸、硝酸等の強酸、あるいは強酸の塩、酢酸、次亜塩素酸等の弱酸の塩、または水酸化ナトリウム、水酸化カリウム等のアルカリ、あるいはアルカリの塩等の溶液に原料炭素繊維又は炭素繊維束を浸漬処理する方法が例示できる。また、この際に炭素繊維に電流を流し、電解酸化を行わせる方法も有効である。特に、炭素繊維に電流を流しながら硫酸塩の水溶液中を通過させる方法は、表面処理方法として好ましいものである。
【００３９】
この場合１００ｃ／ｇ以下、特に５〜５０ｃ／ｇの電気量で原料炭素繊維に電気を流しながら硫酸塩の水溶液を通過させて得られる炭素繊維は、表面処理条件が温和なため、後述するＯ1S／Ｃ1Sピーク比や官能基量をコントロールする上で特に好ましいものである。
【００４０】
硫酸塩としては、硫酸ナトリウム、硫酸水素ナトリウム、硫酸アンモニウム、硫酸水素アンモニウム等が例示できる。硫酸塩濃度としては１〜１５質量％が好ましい。
【００４１】
あるいは、オゾンやハロゲン等の酸化性気体に炭素繊維又は炭素繊維束を接触させて酸化処理を行わせる方法も例示できる。
【００４２】
更に、炭素化工程中の炭素繊維に４００℃を越える温度の高温空気を接触させると、炭素繊維が空気中の酸素と酸化反応を起こすので、この方法でも表面処理ができる。
【００４３】
本発明においては、原料炭素繊維に上記酸化処理を施すことにより、原料炭素繊維の表面に官能基を導入して金属酸化物コーティング用炭素繊維を製造するものであるが、その導入量は以下に示す範囲のものである。
【００４４】
ａ．ＥＳＣＡ法により測定されるＯ1S／Ｃ1Sのピーク比を０．１〜０．５、好ましくは０．２〜０．４の範囲内とする
ｂ．中和滴定により求められる炭素繊維表面に生成するカルボキシル基及び水酸基（酸性官能基）の当量は、共に０．５μｅｑ／ｇ以上、好ましくは１〜２５μｅｑ／ｇとする
ｃ．カルボキシル基／水酸基の当量比を１以上、好ましくは１〜１０とする
導入量の調整は、処理溶液の濃度、温度、電気量、または気体の濃度、処理時間等を適宜設定することにより行う。
【００４５】
炭素繊維の表面処理において、カルボキシル基／水酸基の当量比を１以上とすることにより、繊維表面に対する金属酸化物の被膜性が増し、均一にコーティングできる。
【００４６】
炭素繊維表面に生成するカルボキシル基とフェノール性水酸基（酸性官能基）の当量は、過剰のアルカリ溶液に炭素繊維を浸漬してアルカリと酸性官能基とを反応させ、その後アルカリ溶液を酸で逆滴定することにより算出できる。酸性官能基としてはカルボキシル基とフェノール性水酸基とが存在するものと考えられる。水酸化ナトリウムはカルボキシル基とフェノール性水酸基の両者と反応する。しかし、炭酸水素ナトリウムはカルボキシル基とのみ反応する。水酸化ナトリウム溶液と炭酸ナトリウム溶液とを用いて逆滴定することにより両官能基の当量を定量できる。
【００４７】
また、後述する様に炭素繊維表面に金属酸化物をコーティングする場合、炭素繊維表面の表面処理の程度に比例して、金属酸化物の前駆体物質あるいは金属酸化物そのものが炭素繊維表面に配位あるいは付着し易くなる傾向がある。従って、炭素繊維のＥＳＣＡ法により測定されるＯ1S／Ｃ1Sのピーク比が０．１より小さい場合、炭素繊維上への金属酸化物のコーティング生成量が少なく且つ容易に脱落しやすい傾向となり、好ましくない。
【００４８】
Ｏ1S／Ｃ1Sのピーク比が０．５より大きい場合は、過度に表面処理が施された状態であり、この場合は炭素繊維そのものの基本的な機械的特性を損ねており、金属酸化物をコーティングした場合、金属酸化物と炭素繊維との接着強度が低いものとなり好ましくない。
【００４９】
逆に、Ｏ1S／Ｃ1Sのピーク比をコントロールすることにより、金属酸化物のコーティング量を制御することもできる。
【００５０】
（洗浄処理）
表面処理された炭素繊維は、次いで必要により洗浄処理が施される。これにより、前記表面処理の際に炭素繊維表面に付着する酸、アルカリ、イオン等の残留成分を除去できる。洗浄は水洗が好ましい。洗浄水としてはイオン交換水が好ましく、特に水中の全金属イオン成分が５０ｐｐｍ以下の水を用いることが好ましい。全金属イオン成分の少ない水を用いることにより、洗浄の際に炭素繊維の表面に生成した官能基の活性低下を防止できる。
【００５１】
洗浄後、炭素繊維を乾燥することが好ましい。乾燥は、炭素繊維の水分率が０．５質量％以下になるようにすることが好ましい。
【００５２】
これにより、本発明の金属酸化物コーティング用炭素繊維を得る。
【００５３】
本発明の金属酸化物コーティング用炭素繊維の形態としては、短繊維、フィラメント等の種々の形態の単繊維であっても、この単繊維が集束して構成されたストランドあっても良い。また、炭素繊維を長さ１〜１００ｍｍにカットしたチョップドファイバーであっても良い。チョップドファイバーはストランドを切断することにより簡単に製造できる。
【００５４】
乾燥したフィラメントを１００〜１００，０００本以上束ねた炭素繊維束は、本来ストランドのまとまりが悪く、風等により容易に広るため、取り扱いが難しい。従って、水、あるいは高級アルコールのような油類、あるいはエポキシ樹脂のような粘性のある物質を集束剤として炭素繊維に対して１〜１０質量％付着させることにより、ストランドがまとめ易くなり、その取り扱い性が改善される。
【００５５】
また、用途によっては親水性の集束剤として、ポリビニルアルコール（ＰＶＡ）、ポリエチレングリコール（ＰＥＧ）等の水溶性高分子物質を用いても良い。これらの集束剤は、金属酸化物をコーティングする前に除去することが好ましい。
【００５６】
（金属酸化物のコーティング）
上述のようにして製造した本発明の金属酸化物コーティング用炭素繊維の表面に金属酸化物をコーティングする方法としては、サイズ剤のような糊状物質に金属酸化物を混ぜ込んでサイジングする方法、金属酸化物の前駆体溶液でメッキする方法、ＣＶＤのような化学蒸着による方法などがある。
【００５７】
更に、コーティング状態の適正化や、連続化によるコストダウンを考慮した場合、金属酸化物の前駆体溶液に本発明の炭素繊維を浸し、金属イオンを炭素繊維表面に付着させた後加熱処理することにより、炭素繊維表面に金属酸化物を生成させる方法が好ましい。加熱処理は空気中で２００〜２０００℃で３０〜３００分間保持することにより行うことが好ましい。
【００５８】
本発明の炭素繊維は上記何れの方法でも、その表面に金属酸化物をコーティングすることができる。
【００５９】
サイジングによりコーティングする金属酸化物としては、酸化鉄、酸化チタン、酸化ケイ素等が好ましい。
【００６０】
メッキによりコーティングする金属酸化物前駆体としては、塩化鉄、塩化ニッケル、塩化コバルト、硫酸チタン等が好ましい。
【００６１】
化学蒸着によりコーティングする金属酸化物又はその前駆体としては、酸化マグネシウム、酸化ベリリウム、酸化アルミニウム等が好ましい。
【００６２】
炭素繊維に付着させる金属イオンとしてはＦｅ、Ｃｒ、Ｍｎ、Ｚｎ、Ｎｉ、Ｓｉ等のイオン等が好ましい。
【００６３】
金属酸化物のコーティング量は、繊維質量を基準（１００％）として、その１〜１００質量％が好ましく、特に１０〜５０質量％が好ましい。
【００６４】
なお、本発明の炭素繊維を用いて、織物、不織布、合成紙、フェルトなどの炭素繊維組織構造体を作製することができる。炭素繊維組織構造体に上記の方法により金属酸化物を付着させることができる。
【００６５】
更に、本発明炭素繊維に、ストランドの引っ張り弾性率が１５ｔｏｎｆ／ｍｍ2未満の低弾性率炭素繊維、あるいは引っ張り弾性率が４０ｔｏｎｆ／ｍｍ2以上の高強度・高弾性率の炭素繊維を併用することができる。また炭素繊維の他に、以下の強化繊維を高伸度炭素繊維と併用することができる。強化繊維としては無機、有機繊維の何れでも良く、例えば天然高分子、合成高分子の繊維の他、ガラス繊維、芳香族アラミド繊維、芳香族ポリアミド繊維、ボロン繊維、アルミナ繊維、炭化ケイ素繊維を併用することができる。いずれも引っ張り伸度が２．０％以上のものが好ましい。
【００６６】
【実施例】
以下、本発明を実施例により更に具体的に説明する。
【００６７】
炭素繊維表面のカルボキシル基とフェノール性水酸基との当量は以下の方法により求めた。
【００６８】
炭素繊維を約５ｃｍに切り、その約３ｇを０．１Ｎ塩酸に浸漬させて一昼夜放置し、塩や環状の形態で存在する酸性官能基を遊離させる。その後、純水で炭素繊維を中性になるまで洗浄する。中性の炭素繊維を三角フラスコに入れ、純水８０ｍｌを加え、脱気操作を３０分間行った後、０．０５Ｎの水酸化ナトリウム溶液又は炭酸水素ナトリウム溶液を１ｍｌ加え、三角フラスコ内を窒素置換して密閉状態で一昼夜放置する。
【００６９】
その後、三角フラスコ内の炭素繊維を純水で十分洗浄し、その洗浄水を０．０１Ｎの塩酸標準液で逆滴定（電位差滴定）する。
【００７０】
一方、同様に操作してブランク値を得る。
【００７１】
カルボキシル基とフェノール性水酸基量は、以下の計算式から算出する。
【００７２】
【数１】
カルボキシル基量（μeq/g)＝１０００（Ｖ0−Ｖ1）・ｔ／ｐ    （１）
全酸性基量（μeq/g)      ＝１０００（Ｖ0−Ｖ2）・ｔ／ｐ    （２）
フェノール性水酸基量（μeq/g)＝（２）−（１）              （３）
Ｖ0 ：ブランクの滴定量（ｍｌ）
Ｖ1 ：炭酸水素ナトリウムを加えた洗浄水の滴定量（ｍｌ）
Ｖ2 ：水酸化ナトリウムを加えた洗浄水の滴定量（ｍｌ）
ｔ  ：滴定塩酸濃度（０．０１Ｎ）
ｐ  ：採取炭素繊維質量（ｇ）
実施例１
糸の太さが１．０デニールの単繊維フィラメントを１２，０００本集めて構成したアクリロニトリル繊維ストランドを、空気中２８０℃で耐炎化させた後、１，４００℃で炭素化処理を行った。引き続き、このストランドを５質量％の硫酸アンモニウム水溶液中に連続して浸漬させ、炭素繊維に１５ｃ／ｇの電気量で通電しながら、２分間の滞留時間で表面処理を施した。
【００７３】
次いで、全金属イオン成分が１０ｐｐｍ以下のイオン交換水を用いて水洗後、乾燥して水分量が０．１質量％の金属酸化物コーティング用炭素繊維を得た。
【００７４】
表１に、得られた炭素繊維の性能を示す。
【００７５】
この炭素繊維を１ｇ採取し、塩化鉄／塩化ニッケル／尿素が０．０２Ｍ／０．０１Ｍ／０．１Ｍの溶液１００ｃｃに浸し、５０気圧の窒素雰囲気下でマイクロ波を照射して２００℃まで加熱し、その状態で３０分間保った。冷却・水洗・乾燥して得られた繊維は、茶色に変色しており、磁性が認められた。
【００７６】
広角Ｘ線回折より、繊維表面にはＮｉフェライトがコーティングされていることが確認できた。処理前後の質量変化より算出したコーティング量は５質量％であった。
【００７７】
この繊維の表面状態を走査型電子顕微鏡（ＳＥＭ）により観察したところ、図２のＳＥＭ写真に示すように、Ｎｉフェライトと思われる物質が繊維表面に均一にコーティングされている状態が観察された。これらの結果から、実施例１の条件で製造した炭素繊維は、表１に示すように、金属酸化物のコーティングに適した炭素繊維であることが確認された。
【００７８】
なお、コーティング処理前の炭素繊維のＳＥＭ写真を、図１に示す。
【００７９】
実施例２〜３
表１に示すように、炭素繊維の製造条件、表面処理条件を変更し、実施例１と同様に炭素繊維表面に金属酸化物をコーティングさせ、金属酸化物のコーティング量と状態を検討した。その結果、これらの炭素繊維は、金属酸化物のコーティングに適した炭素繊維であることが確認された。
【００８０】
実施例４
糸の太さが１．０デニールの単繊維フィラメントを６，０００本集めて構成したアクリロニトリル繊維ストランドを、空気中２６０℃で耐炎化させた後、１，３５０℃で炭素化処理を行った。引き続き、このストランドを５質量％の硫酸アンモニウム水溶液中に連続して浸漬させ、炭素繊維に１０ｃ／ｇの電気量で通電しながら、２分間の滞留時間で表面処理を施した。
【００８１】
次いで、全金属イオン成分が１０ｐｐｍ以下のイオン交換水を用いて水洗後、乾燥して水分量が０．１質量％の金属酸化物コーティング用炭素繊維を得た。表１に、得られた炭素繊維の性能を示す。
【００８２】
この炭素繊維を１ｇ採取し、５０ｍｌの５０質量％硫酸チタン水溶液に浸漬した後、５０％アンモニア水をｐＨ７になるまで徐々に添加した。粥状になった溶液から炭素繊維を取出し、水洗、乾燥し、５４０℃で３時間乾燥させた。繊維の色は殆ど変化がなく、黒色であった。広角Ｘ線回折より、繊維表面には酸化チタンがコーティングされていることが確認できた。処理前後の質量変化から算出したコーティング量は５質量％であった。
【００８３】
比較例１
実施例１と同じ条件で製造した炭素繊維ではあるが、表面処理を施さない炭素繊維を作製した。この繊維はＯ1S／Ｃ1S値が０．０５であり、炭素繊維表面にカルボキシル基等の官能基の相対的な当量数が少ないことが確認された（表２）。
【００８４】
この炭素繊維に、実施例１と同じ条件で金属酸化物をコーティングさせた。この繊維への金属酸化物のコーティング量は０．５質量％と少なく、図４のＳＥＭ写真のように疎なコーティング状態であることが確認され、この炭素繊維は、金属酸化物のコーティングに適さない炭素繊維であることが確認された。
【００８５】
なお、コーティング処理前の炭素繊維のＳＥＭ写真を図３に示す。
【００８６】
【表１】
0004936588.tif 000002
【００８７】
【表２】
0004936588.tif 000003
【００８８】
【発明の効果】
本発明の金属酸化物コーティング用炭素繊維は、上記のように構成したので、各種金属酸化物を均一、強固、かつ多量にコーティングすることができる。
【００８９】
また、本発明の金属酸化物コーティング用炭素繊維を用いて製造する金属酸化物をコーティングした炭素繊維は、炭素繊維が本来有している高強度・高弾性率等の好ましい性能を損なうことなく、金属酸化物の特性を具備することができる。
【００９０】
特に、金属酸化物として磁性、透磁率性、超伝導性等を示すものを用いる場合は、得られる金属酸化物をコーティングした炭素繊維は、高強度・高弾性率と、磁性等の優れた性質とを兼備するものとなる。従って、本発明の金属酸化物コーティング用炭素繊維を用いて金属酸化物をコーティングした炭素繊維組織構造体を製造する場合は、このものは機械的性質の改善効果と電磁波吸収効果等とを効率良く発揮させることができる。
【図面の簡単な説明】
【図１】実施例１で得られた金属酸化物のコーティング前の炭素繊維の図面代用走査型電子顕微鏡（ＳＥＭ）写真である。Ａ、Ｂ及びＣは、炭素繊維断面の、それぞれ、倍率×５０００、×８０００及び×３００００のＳＥＭ写真である。Ｄ、Ｅ、Ｆ及びＧは、炭素繊維側面の、それぞれ、倍率×１０００、×３５００、×１００００及び×３００００のＳＥＭ写真である。
【図２】実施例１で得られた金属酸化物のコーティング後の炭素繊維の図面代用走査型電子顕微鏡（ＳＥＭ）写真である。Ａ、Ｂ及びＣは、炭素繊維断面の、それぞれ、倍率×５０００、×８０００及び×３００００のＳＥＭ写真である。Ｄ、Ｅ、Ｆ及びＧは、炭素繊維側面の、それぞれ、倍率×１０００、×３５００、×１００００及び×３００００のＳＥＭ写真である。
【図３】比較例１で得られた金属酸化物のコーティング前の炭素繊維の図面代用走査型電子顕微鏡（ＳＥＭ）写真である。Ａ、Ｂ及びＣは、炭素繊維断面の、それぞれ、倍率×５０００、×８０００及び×３００００のＳＥＭ写真である。Ｄ、Ｅ、Ｆ及びＧは、炭素繊維側面の、それぞれ、倍率×１０００、×３５００、×１００００及び×３００００のＳＥＭ写真である。
【図４】比較例１で得られた金属酸化物のコーティング後の炭素繊維の図面代用走査型電子顕微鏡（ＳＥＭ）写真である。Ａ、Ｂ及びＣは、炭素繊維断面の、それぞれ、倍率×５０００、×８０００及び×３００００のＳＥＭ写真である。Ｄ、Ｅ、Ｆ及びＧは、炭素繊維側面の、それぞれ、倍率×１０００、×３５００、×１００００及び×３００００のＳＥＭ写真である。
【図１】
0004936588.tif 000004
【図２】
0004936588.tif 000005
【図３】
0004936588.tif 000006
【図４】
0004936588.tif 000007